(57)【要約】【課題】ＡＣＫ／ＮＡＣＫ反復伝送を効率的に行う装置を提供する。【解決手段】本発明は、無線通信システムに関する。具体的に、本発明は、ＡＣＫ／ＮＡＣＫ反復モードが設定された状態で、端末がＡＣＫ／ＮＡＣＫを伝送する方法及び装置に関するものであって、第１サブフレームを通じて第１データを受信するステップと、第２サブフレームを通じて第２データを受信するステップと、前記第２データに対するＡＣＫ／ＮＡＣＫ信号を伝送するステップと、を含み、前記第１サブフレームと第２サブフレームとの差が基準より小さい場合、前記第２データに対するＡＣＫ／ＮＡＣＫ信号の反復回数が減少される、ＡＣＫ／ＮＡＣＫ伝送方法及び装置に関する。【選択図】図７
2013511937.tif 000002
【特許請求の範囲】
【請求項１】
無線通信システムでＡＣＫ／ＮＡＣＫ反復モードが設定された状態で、端末がＡＣＫ／ＮＡＣＫを伝送する方法において、
第１サブフレームを通じて第１データを受信するステップと、
第２サブフレームを通じて第２データを受信するステップと、
前記第２データに対するＡＣＫ／ＮＡＣＫ信号を伝送するステップと、を含み、
前記第１サブフレームと第２サブフレームとの差が基準より小さい場合、前記第２データに対するＡＣＫ／ＮＡＣＫ信号の反復回数が減少される、ＡＣＫ／ＮＡＣＫ伝送方法。
【請求項２】
前記第１データに対するＡＣＫ／ＮＡＣＫ信号と前記第２データに対するＡＣＫ／ＮＡＣＫ信号とが同じサブフレームを通じて伝送されるように予定された場合、
前記第１データに対するＡＣＫ／ＮＡＣＫ信号の伝送をドロップすることを特徴とする、請求項１に記載のＡＣＫ／ＮＡＣＫ伝送方法。
【請求項３】
前記第１データに対するＡＣＫ／ＮＡＣＫ信号と前記第２データに対するＡＣＫ／ＮＡＣＫ信号とが同じサブフレームを通じて伝送されるように予定された場合、
前記第１データに対するＡＣＫ／ＮＡＣＫ信号及び前記第２データに対するＡＣＫ／ＮＡＣＫ信号はＡＣＫ／ＮＡＣＫバンドリングを通じて伝送されることを特徴とする、請求項１に記載のＡＣＫ／ＮＡＣＫ伝送方法。
【請求項４】
前記第１データに対するＡＣＫ／ＮＡＣＫ信号と前記第２データに対するＡＣＫ／ＮＡＣＫ信号とが同じサブフレームを通じて伝送されるように予定された場合、
前記第１データに対するＡＣＫ／ＮＡＣＫ信号及び前記第２データに対するＡＣＫ／ＮＡＣＫ信号はＡＣＫ／ＮＡＣＫ多重化を通じて伝送されることを特徴とする、請求項１に記載のＡＣＫ／ＮＡＣＫ伝送方法。
【請求項５】
前記反復回数の減少は、前記第２データに対するＡＣＫ／ＮＡＣＫ信号の伝送に対して一時的に適用されることを特徴とする、請求項１に記載のＡＣＫ／ＮＡＣＫ伝送方法。
【請求項６】
前記第１サブフレームと第２サブフレームとの差が前記基準より小さい場合、前記ＡＣＫ／ＮＡＣＫ反復モードが解除されることを特徴とする、請求項１に記載のＡＣＫ／ＮＡＣＫ伝送方法。
【請求項７】
ＡＣＫ／ＮＡＣＫ反復モードが設定された状態でＡＣＫ／ＮＡＣＫを伝送するように構成された無線通信端末において、
ＲＦユニットと、
プロセッサと、を含み、
前記プロセッサは、第１サブフレームを通じて第１データを受信し、第２サブフレームを通じて第２データを受信し、前記第２データに対するＡＣＫ／ＮＡＣＫ信号を伝送するように構成され、
前記第１サブフレームと第２サブフレームとの差が基準より小さい場合、前記第２データに対するＡＣＫ／ＮＡＣＫ信号の反復回数が減少される、無線通信端末。
【請求項８】
前記第１データに対するＡＣＫ／ＮＡＣＫ信号と前記第２データに対するＡＣＫ／ＮＡＣＫ信号とが同じサブフレームを通じて伝送されるように予定された場合、
前記第１データに対するＡＣＫ／ＮＡＣＫ信号の伝送をドロップすることを特徴とする、請求項７に記載の無線通信端末。
【請求項９】
前記第１データに対するＡＣＫ／ＮＡＣＫ信号と前記第２データに対するＡＣＫ／ＮＡＣＫ信号とが同じサブフレームを通じて伝送されるように予定された場合、
前記第１データに対するＡＣＫ／ＮＡＣＫ信号及び前記第２データに対するＡＣＫ／ＮＡＣＫ信号はＡＣＫ／ＮＡＣＫバンドリングを通じて伝送されることを特徴とする、請求項７に記載の無線通信端末。
【請求項１０】
前記第１データに対するＡＣＫ／ＮＡＣＫ信号と前記第２データに対するＡＣＫ／ＮＡＣＫ信号とが同じサブフレームを通じて伝送されるように予定された場合、
前記第１データに対するＡＣＫ／ＮＡＣＫ信号及び前記第２データに対するＡＣＫ／ＮＡＣＫ信号はＡＣＫ／ＮＡＣＫ多重化を通じて伝送されることを特徴とする、請求項７に記載の無線通信端末。
【請求項１１】
前記反復回数の減少は、前記第２データに対するＡＣＫ／ＮＡＣＫ信号の伝送に対してのみ一時的に適用されることを特徴とする、請求項７に記載の無線通信端末。
【請求項１２】
前記第１サブフレームと第２サブフレームとの差が前記基準より小さい場合、前記ＡＣＫ／ＮＡＣＫ反復モードが解除されることを特徴とする、請求項７に記載の無線通信端末。
【発明の詳細な説明】
【技術分野】
【０００１】
本発明は、無線通信に係り、具体的に、ＡＣＫ／ＮＡＣＫを伝送する方法及びそのための装置に関する。
【背景技術】
【０００２】
無線通信システムが音声やデータなどのような多様な種類の通信サービスを提供するために広範囲に展開されている。一般に、無線通信システムは、可用のシステムリソース（帯域幅、伝送パワーなど）を共有して、マルチユーザーとの通信を支援できる多重接続（ｍｕｌｔｉｐｌｅ  ａｃｃｅｓｓ）システムである。多重接続システムの例としては、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ―ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明は、ＡＣＫ／ＮＡＣＫを伝送する方法及びそのための装置を提供することを目的とする。より具体的に、本発明は、ＡＣＫ／ＮＡＣＫ反復伝送を効率的に行う方法及びそのための装置を提供することを目的とする。
【０００４】
本発明で達成しようとする技術的課題は、以上に言及した技術的課題に制限されず、言及していない他の技術的課題は、下記の記載から、本発明の属する技術分野における通常の知識を有する者に明確に理解されるだろう。
【課題を解決するための手段】
【０００５】
本発明の一様相として、無線通信システムでＡＣＫ／ＮＡＣＫ（Ａｃｋｎｏｗｌｅｄｇｅｍｅｎｔ／Ｎｅｇａｔｉｖｅ  ＡＣＫ）反復モードが設定された状態で、端末がＡＣＫ／ＮＡＣＫを伝送する方法において、第１サブフレームを通じて第１データを受信するステップと、第２サブフレームを通じて第２データを受信するステップと、前記第２データに対するＡＣＫ／ＮＡＣＫ信号を伝送するステップと、を含み、前記第１サブフレームと第２サブフレームとの差が基準より小さい場合、前記第２データに対するＡＣＫ／ＮＡＣＫ信号の反復回数が減少される、ＡＣＫ／ＮＡＣＫ伝送方法が提供される。
【０００６】
本発明の他の様相として、ＡＣＫ／ＮＡＣＫ（Ａｃｋｎｏｗｌｅｄｇｅｍｅｎｔ／Ｎｅｇａｔｉｖｅ  ＡＣＫ）反復モードが設定された状態でＡＣＫ／ＮＡＣＫを伝送するように構成された無線通信端末において、ＲＦ（Ｒａｄｉｏ  Ｆｒｅｑｕｅｎｃｙ）ユニットと、プロセッサと、を含み、前記プロセッサは、第１サブフレームを通じて第１データを受信し、第２サブフレームを通じて第２データを受信し、前記第２データに対するＡＣＫ／ＮＡＣＫ信号を伝送するように構成され、前記第１サブフレームと第２サブフレームとの差が基準より小さい場合、前記第２データに対するＡＣＫ／ＮＡＣＫ信号の反復回数が減少される、無線通信端末が提供される。
【０００７】
ここで、前記第１データに対するＡＣＫ／ＮＡＣＫ信号と前記第２データに対するＡＣＫ／ＮＡＣＫ信号とが同じサブフレームを通じて伝送されるように予定された場合、前記第１データに対するＡＣＫ／ＮＡＣＫ信号の伝送をドロップ（ｄｒｏｐ）することができる。
【０００８】
ここで、前記第１データに対するＡＣＫ／ＮＡＣＫ信号と前記第２データに対するＡＣＫ／ＮＡＣＫ信号とが同じサブフレームを通じて伝送されるように予定された場合、前記第１データに対するＡＣＫ／ＮＡＣＫ信号及び前記第２データに対するＡＣＫ／ＮＡＣＫ信号はＡＣＫ／ＮＡＣＫバンドリングを通じて伝送されうる。
【０００９】
ここで、前記第１データに対するＡＣＫ／ＮＡＣＫ信号と前記第２データに対するＡＣＫ／ＮＡＣＫ信号とが同じサブフレームを通じて伝送されるように予定された場合、前記第１データに対するＡＣＫ／ＮＡＣＫ信号及び前記第２データに対するＡＣＫ／ＮＡＣＫ信号はＡＣＫ／ＮＡＣＫ多重化を通じて伝送されうる。
【００１０】
ここで、前記反復回数の減少は、前記第２データに対するＡＣＫ／ＮＡＣＫ信号の伝送に対してのみ一時的に適用されうる。
【００１１】
ここで、前記第１サブフレームと第２サブフレームとの差が基準より小さい場合、前記ＡＣＫ／ＮＡＣＫ反復モードが解除されうる。
【発明の効果】
【００１２】
本発明の各実施例によれば、無線通信システムにおいてＡＣＫ／ＮＡＣＫを効率的に伝送することができる。より具体的に、ＡＣＫ／ＮＡＣＫ反復伝送を効率的に行うことができる。
【００１３】
本発明で得られる効果は、以上に言及した効果に制限されず、言及していない他の効果は、下記の記載から、本発明の属する技術分野における通常の知識を有する者に明確に理解されるだろう。
【００１４】
本発明の理解を助けるために詳細な説明の一部として含まれる添付の図面は、本発明に対する実施例を提供し、詳細な説明と共に本発明の技術的思想を説明する。
【図面の簡単な説明】
【００１５】
【図１】Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のネットワーク構造を例示する図である。
【図２】Ｅ−ＵＭＴＳシステムで使用する無線フレームの構造を例示する図である。
【図３】無線フレームのリソースグリッド（ｒｅｓｏｕｒｃｅ  ｇｉｒｄ）を例示する図である。
【図４】ダウンリンクサブフレームの構造を例示する図である。
【図５】アップリンクサブフレームの構造を例示する図である。
【図６】従来のＡＣＫ／ＮＡＣＫ反復伝送を行う例を示す図である。
【図７】本発明の一実施例によって反復因子が２である場合にＡＣＫ／ＮＡＣＫ反復伝送を行う例を示す図である。
【図８】本発明の一実施例によって反復因子が２である場合にＡＣＫ／ＮＡＣＫ反復伝送を行う例を示す図である。
【図９】本発明の一実施例によって反復因子が２である場合にＡＣＫ／ＮＡＣＫ反復伝送を行う例を示す図である。
【図１０】本発明の一実施例によって反復因子が２である場合にＡＣＫ／ＮＡＣＫ反復伝送を行う例を示す図である。
【図１１】本発明の一実施例によって反復因子が３である場合にＡＣＫ／ＮＡＣＫ反復伝送を行う例を示す図である。
【図１２】本発明の一実施例によって反復因子が３である場合にＡＣＫ／ＮＡＣＫ反復伝送を行う例を示す図である。
【図１３】本発明の一実施例によって反復因子が３である場合にＡＣＫ／ＮＡＣＫ反復伝送を行う例を示す図である。
【図１４】本発明の一実施例によって反復因子が３である場合にＡＣＫ／ＮＡＣＫ反復伝送を行う例を示す図である。
【図１５】本発明の一実施例によって反復因子が３である場合にＡＣＫ／ＮＡＣＫ反復伝送を行う例を示す図である。
【図１６】本発明の一実施例によって反復因子が３である場合にＡＣＫ／ＮＡＣＫ反復伝送を行う例を示す図である。
【図１７】本発明の一実施例によって反復因子が４である場合にＡＣＫ／ＮＡＣＫ反復伝送を行う例を示す図である。
【図１８】本発明の一実施例によって反復因子が４である場合にＡＣＫ／ＮＡＣＫ反復伝送を行う例を示す図である。
【図１９】本発明の一実施例によって反復因子が４である場合にＡＣＫ／ＮＡＣＫ反復伝送を行う例を示す図である。
【図２０】本発明の一実施例によって反復因子が４である場合にＡＣＫ／ＮＡＣＫ反復伝送を行う例を示す図である。
【図２１】本発明の一実施例によって反復因子が４である場合にＡＣＫ／ＮＡＣＫ反復伝送を行う例を示す図である。
【図２２】本発明の一実施例によって反復因子が４である場合にＡＣＫ／ＮＡＣＫ反復伝送を行う例を示す図である。
【図２３】本発明の一実施例によって反復因子が４である場合にＡＣＫ／ＮＡＣＫ反復伝送を行う例を示す図である。
【図２４】本発明の一実施例によって反復因子が４である場合にＡＣＫ／ＮＡＣＫ反復伝送を行う例を示す図である。
【図２５】本発明の一実施例によって反復因子が４である場合にＡＣＫ／ＮＡＣＫ反復伝送を行う例を示す図である。
【図２６】本発明に適用されうる基地局及び端末のブロック図を例示する図である。
【発明を実施するための形態】
【００１６】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ―ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに使用することができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）として具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術として具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術として具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であって、ダウンリンクにおいてＯＦＤＭＡを採用し、アップリンクにおいてＳＣ−ＦＤＭＡを採用する。ＬＴＥ―Ａ（Ａｄｖａｎｃｅｄ）は、３ＧＰＰ  ＬＴＥの進化したバージョンである。
【００１７】
説明を明確にするために、３ＧＰＰ  ＬＴＥ／ＬＴＥ―Ａを中心に記述するが、本発明の技術的思想がこれに制限されるものではない。
【００１８】
図１は、Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のネットワーク構造を示す。Ｅ−ＵＭＴＳシステムは、ＷＣＤＭＡ  ＵＭＴＳシステムから進化したシステムであって、３ＧＰＰ（３ｒｄ  Ｇｅｎｅｒａｔｉｏｎ  Ｐａｒｔｎｅｒｓｈｉｐ  Ｐｒｏｊｅｃｔ）で標準化作業を進行している。Ｅ−ＵＭＴＳは、ＬＴＥ（Ｌｏｎｇ  Ｔｅｒｍ  Ｅｖｏｌｕｔｉｏｎ）システムとも呼ばれる。ＵＭＴＳ及びＥ−ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ７及びＲｅｌｅａｓｅ８を参照することができる。
【００１９】
図１を参照すると、Ｅ−ＵＭＴＳは、端末（Ｕｓｅｒ  Ｅｑｕｉｐｍｅｎｔ：ＵＥ）１２０と基地局（ｅＮｏｄｅ  Ｂ：ｅＮＢ）１１０ａ及び１１０ｂ、ネットワーク（Ｅ−ＵＴＲＡＮ）の終端に位置して外部ネットワークと連結される接続ゲートウェイ（Ａｃｃｅｓｓ  Ｇａｔｅｗａｙ：ＡＧ）を含む。基地局は、ブロードキャストサービス、マルチキャストサービス及び／またはユニキャストサービスのために多重データストリームを同時に伝送することができる。一つの基地局には一つ以上（例、３個）のセルが存在する。セルは、１．４、３、５、１０、１５、２０ＭＨｚなどの帯域幅のいずれか一つを使用するように設定され、複数の端末に下りまたは上り伝送サービスを提供する。互いに異なるセルは、互いに異なる帯域幅を提供するように設定されることができる。基地局は、多数の端末に対するデータ送受信を制御する。ダウンリンク（Ｄｏｗｎｌｉｎｋ：ＤＬ）データに対して基地局はダウンリンクスケジューリング情報を伝送し、該当の端末にデータが伝送される時間／周波数領域、符号化、データ大きさ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、アップリンク（Ｕｐｌｉｎｋ：ＵＬ）データに対して基地局はアップリンクスケジューリング情報を該当の端末に伝送し、該当の端末が使用しうる時間／周波数領域、符号化、データ大きさ、ＨＡＲＱ関連情報などを知らせる。基地局間にはユーザトラフィックまたは制御トラフィック伝送のためのインターフェースが使用されうる。コアネットワーク（Ｃｏｒｅ  Ｎｅｔｗｏｒｋ：ＣＮ）は、ＡＧ及び端末のユーザ登録などのためのネットワークノードなどで構成されうる。ＡＧは、複数のセルから構成されるＴＡ（Ｔｒａｃｋｉｎｇ  Ａｒｅａ）単位で端末の移動性を管理する。
【００２０】
図２は、Ｅ−ＵＭＴＳシステムにおいて使用する無線フレームの構造を示す図である。
【００２１】
図２を参照すると、Ｅ−ＵＭＴＳシステムは１０ｍｓの無線フレーム（ｒａｄｉｏ  ｆｒａｍｅ）を使用し、一つの無線フレームは１０個のサブフレーム（ｓｕｂｆｒａｍｅ）で構成される。サブフレームは、２つの連続するスロットで構成される。スロットの長さは０．５ｍｓであり、複数のシンボル（例、ＯＦＤＭシンボル、ＳＣ−ＦＤＭＡシンボル）で構成される。
【００２２】
図３は、スロットのリソースグリッド（ｒｅｓｏｕｒｃｅ  ｇｒｉｄ）を示す図である。
【００２３】
図３を参照すると、スロットは、複数のＯＦＤＭシンボルまたはＳＣ−ＦＤＭＡシンボルを含み、周波数領域で多数のリソースブロック（Ｒｅｓｏｕｒｃｅ  Ｂｌｏｃｋ：ＲＢ）を含む。一つのリソースブロックは１２×７（６）リソース要素を含む。時間スロットに含まれるリソースブロックの数は、セルで設定される周波数帯域幅（ｂａｎｄｗｉｄｔｈ）に従属する。リソースグリッド上の各ブロックは一つのシンボル及び一つの副搬送波と定義される最小リソースを表し、リソース要素（Ｒｅｓｏｕｒｃｅ  Ｅｌｅｍｅｎｔ：ＲＥ）と称される。図３は、時間スロットが７個のシンボルを含み、リソースブロックが１２個の副搬送波を含むものと例示しているが、これに制限されるものではない。例えば、スロットに含まれるシンボルの個数は循環前置（Ｃｙｃｌｉｃ  Ｐｒｅｆｉｘ：ＣＰ）の長さによって変形されうる。
【００２４】
図４は、ダウンリンクサブフレームの構造を示す図である。
【００２５】
図４を参照すると、ＬＴＥシステムにおいてダウンリンクサブフレームは、Ｌ１／Ｌ２制御領域及びデータ領域がＴＤＭ（Ｔｉｍｅ  Ｄｉｖｉｓｉｏｎ  Ｍｕｌｔｉｐｌｅｘｉｎｇ）方式で多重化される。Ｌ１／Ｌ２制御領域はサブフレームの先頭部分のｎ（例、３または４）個のＯＦＤＭシンボルで構成され、残りのＯＦＤＭシンボルはデータ領域として使用される。Ｌ１／Ｌ２制御領域は、ダウンリンク制御情報を運ぶためのＰＤＣＣＨ（Ｐｈｙｓｉｃａｌ  Ｄｏｗｎｌｉｎｋ  Ｃｏｎｔｒｏｌ  Ｃｈａｎｎｅｌ）を含み、データ領域は、ダウンリンクデータチャネルであるＰＤＳＣＨ（Ｐｈｙｓｉｃａｌ  Ｄｏｗｎｌｉｎｋ  Ｓｈａｒｅｄ  Ｃｈａｎｎｅｌ）を含む。ダウンリンク信号を受信するために、端末は、ＰＤＣＣＨからダウンリンクスケジューリング情報を読み、ダウンリンクスケジューリング情報が指示するリソース割当情報を用いてＰＤＳＣＨ上のダウンリンクデータを受信する。端末にスケジューリングされるリソース（すなわち、ＰＤＳＣＨ）は、リソースブロックまたはリソースブロックグループ単位で割り当てられる。
【００２６】
ＰＤＣＣＨは、伝送チャネルであるＰＣＨ（Ｐａｇｉｎｇ  ＣＨａｎｎｅｌ）及びＤＬ−ＳＣＨ（Ｄｏｗｎｌｉｎｋ−Ｓｈａｒｅｄ  ＣＨａｎｎｅｌ）のリソース割当と関連した情報、アップリンクスケジューリンググラント（Ｕｐｌｉｎｋ  Ｓｃｈｅｄｕｌｉｎｇ  Ｇｒａｎｔ）、ＨＡＲＱ情報などを端末に知らせる。ＰＤＣＣＨを通して伝送される情報を総称して、ダウンリンク制御情報（Ｄｏｗｎｌｉｎｋ  Ｃｏｎｔｒｏｌ  Ｉｎｆｏｒｍａｔｉｏｎ：ＤＣＩ）という。制御情報によって様々なＤＣＩフォーマットがある。
【００２７】
表１は、アップリンクスケジューリングのためのＤＣＩフォーマット０を表す。
【００２８】
【表１】
2013511937.tif 000003
【００２９】
* ＭＣＳ：変調及び符号化方式（Ｍｏｄｕｌａｔｉｏｎ  ａｎｄ  Ｃｏｄｉｎｇ  Ｓｃｈｅｍｅ）
* ＴＰＣ：送信電力制御（Ｔｒａｎｓｍｉｔ  Ｐｏｗｅｒ  Ｃｏｎｔｒｏｌ）
* ＲＮＴＩ：無線ネットワーク一時識別子（Ｒａｄｉｏ  Ｎｅｔｗｏｒｋ  Ｔｅｍｐｏｒａｒｙ  Ｉｄｅｎｔｉｆｉｅｒ）
* ＣＲＣ：巡回冗長検査（Ｃｙｃｌｉｃ  Ｒｅｄｕｎｄａｎｃｙ  Ｃｈｅｃｋ）
【００３０】
ＰＤＣＣＨが伝送される端末をＲＮＴＩを用いて識別する。一例として、ＰＤＣＣＨがＡというＲＮＴＩでＣＲＣマスキング（ｍａｓｋｉｎｇ）されており、Ｂというアップリンクリソース割当情報（例、周波数位置）及びＣという伝送形式情報（例、伝送ブロックサイズ、変調方式、コーディング情報など）を伝送すると仮定する。この場合、セルにある端末は、自身が持っているＲＮＴＩを用いてＰＤＣＣＨをモニタリングし、Ａ  ＲＮＴＩを有している端末はＰＤＣＣＨから得たＢとＣの情報によってアップリンク伝送を行う。
【００３１】
図５は、ＬＴＥにおいて使用されるアップリンクサブフレームの構造を示す図である。
【００３２】
図５を参照すると、アップリンクサブフレームは複数（例、２個）のスロットを含む。スロットは、ＣＰ長によって互いに異なる数のＳＣ−ＦＤＭＡシンボルを含んでもよい。アップリンクサブフレームは、周波数領域においてデータ領域と制御領域とに区分される。データ領域は、ＰＵＳＣＨを含み、音声などのデータ信号を伝送するのに使用される。制御領域は、ＰＵＣＣＨを含み、アップリンク制御情報を伝送するのに使用される。ＰＵＣＣＨは、周波数軸でデータ領域の両端部に位置しているＲＢ対（ＲＢ  ｐａｉｒ）を含み、スロットを境界にしてホッピングする。アップリンク制御情報は、アップリンク伝送リソースを要請するためのＳＲ（Ｓｃｈｅｄｕｌｉｎｇ  Ｒｅｑｕｅｓｔ）、ダウンリンクデータに対するＨＡＲＱ  ＡＣＫ／ＮＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ／Ｎｅｇａｔｉｖｅ  ＡＣＫ）、ダウンリンクに対するチャネル（状態）情報などを含む。ダウンリンクに対するチャネル（状態）情報は、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＣＱＩ（Ｃｈａｎｎｅｌ  Ｑｕａｌｉｔｙ  Ｉｎｄｉｃａｔｏｒ）を含む。
【００３３】
図６は、従来のＡＣＫ／ＮＡＣＫ反復伝送を行う例を示す。
【００３４】
ＡＣＫ／ＮＡＣＫ反復は、上位層により設定される端末特定（ＵＥ  ｓｐｅｃｉｆｉｃ）パラメータであるａｃｋＮａｃｋＲｅｐｅｔｉｔｉｏｎによってイネーブル（ｅｎａｂｌｅ）またはディセーブル（ｄｉｓａｂｌｅ）される。ＡＣＫ／ＮＡＣＫ反復がイネーブルされると、端末は全てのＡＣＫ／ＮＡＣＫ伝送を反復因子（ｒｅｐｅｔｉｔｉｏｎ  ｆａｃｔｏｒ）ＮANRepだけ反復する。ＮANRepは、上位層により提供され、上位層によりＡＣＫ／ＮＡＣＫ反復がディセーブルされるまで有効である。初期ＡＣＫ／ＮＡＣＫ伝送のためのＰＵＣＣＨリソースは、ＰＤＳＣＨをスケジューリングするＰＤＣＣＨの最も小さいＣＣＥインデックスを用いて黙示的（ｉｍｐｌｉｃｉｔｌｙ）に与えられる。反面、ＮANRep−１番のＡＣＫ／ＮＡＣＫ反復伝送は、上位層により設定されたＰＵＣＣＨリソース（ｎ(1)PUCCH,ANRep）を用いて伝送される。
【００３５】
ＴＤＤ（Ｔｉｍｅ  Ｄｉｖｉｓｉｏｎ  Ｄｕｐｌｅｘ）の場合、ＡＣＫ／ＮＡＣＫ反復はＡＣＫ／ＮＡＣＫバンドリングにのみ適用され、ＡＣＫ／ＮＡＣＫ多重化（ｍｕｌｔｉｐｌｅｘｉｎｇ）には適用されない。
【００３６】
ＦＤＤ（Ｆｒｅｑｕｅｎｃｙ  Ｄｉｖｉｓｉｏｎ  Ｄｕｐｌｅｘ）の場合、端末は、自身に対するＰＤＳＣＨ伝送をサブフレーム＃ｎ−４で検出すると、それに対するＡＣＫ／ＮＡＣＫをサブフレーム＃ｎで伝送する。ＡＣＫ／ＮＡＣＫ反復がイネーブルされると、端末は、サブフレーム＃ｎ−４で検出されたＰＤＳＣＨ伝送に対応するＡＣＫ／ＮＡＣＫをサブフレーム＃ｎ、＃ｎ＋１、...、＃ｎ＋ＮANRep−１で伝送する。ＡＣＫ／ＮＡＣＫ反復の間に、端末は、＃ｎ、＃ｎ＋１、...、＃ｎ＋ＮANRep−１で他の信号を伝送しない。ＴＤＤの場合、端末は、サブフレーム＃ｎ−４でＰＤＳＣＨ伝送を検出すると、それに対するＡＣＫ／ＮＡＣＫをサブフレーム＃ｎで伝送する。ここで、ｋ∈Ｋであり、ｋは、ＴＤＤフレーム構造及びサブフレーム＃ｎの位置関係を考慮して定義されている。仮りに、ＡＣＫ／ＮＡＣＫ反復がイネーブルされると、端末は、サブフレームｎ−ｋで検出したＰＤＳＣＨ伝送に対するＡＣＫ／ＮＡＣＫを、ＵＬサブフレーム＃ｎ、及び以後のＮANRep−１個のＵＬサブフレーム（サブフレームｎ、ｎ_1、...、ｎ_NANRepと称する）で伝送する。ＡＣＫ／ＮＡＣＫ反復の間に、端末は、ｎ、ｎ_１、...、ｎ_ＮANRepで他の信号を伝送しない。
【００３７】
ＡＣＫ／ＮＡＣＫ反復モードは、電力の制限された各端末が基地局まで信頼性よくＡＣＫ／ＮＡＣＫを伝送するための方法の一環として導入された。しかし、既存のＡＣＫ／ＮＡＣＫ反復動作はダウンリンク及びアップリンクリソースの浪費を招く。図６を参照すると、反復因子が２であるＡＣＫ／ＮＡＣＫ反復モードが設定されると、ＤＬサブフレーム＃ｎ＋1では、該当の端末にＤＬ及びＵＬスケジューリングができなくなる。したがって、ＡＣＫ／ＮＡＣＫ反復回数が大きくなるほど、より多いサブフレームを使用できなくなる。
【００３８】
チャネル状況の変化（端末の移動、環境の変化など）によりＡＣＫ／ＮＡＣＫ反復を行わなくてもよい場合は、該当の端末に対するＡＣＫ／ＮＡＣＫ反復の設定を解除してもよい。ところが、端末あるいはリレーのような装備が移動性を有する場合、時間による無線チャネルの変化量は相対的により多い。この場合、半−静的（ｓｅｍｉ−ｓｔａｔｉｃａｌｌｙ）に設定されるＡＣＫ／ＮＡＣＫ反復イネーブル／ディセーブル方法では、チャネル変化に適切に対処しにくい。また、チャネル変化などによって、全ての端末に対して適切なＡＣＫ／ＮＡＣＫ伝送モードを設定し、解除しなければならないと、スケジューラの負担が非常に大きくなる。したがって、好適な／現実的な運用方法として、セル大きさなどを基準に、セルに属している全ての端末またはリレーは同じＡＣＫ／ＮＡＣＫ伝送モードで運用するのを考慮できる。
【００３９】
実施例
【００４０】
本発明は、チャネル状況などに合せて、ＡＣＫ／ＮＡＣＫ反復を適応的に行う方案を提案する。一例として、本発明は、チャネル状況などが良くなってＡＣＫ／ＮＡＣＫ反復を使用する必要がない場合、既に設定されたＡＣＫ／ＮＡＣＫ反復動作と共に、新しい伝送を始めることができるように許容する方案を提案する。具体的に、新しい伝送の開始が、既存に設定されたＡＣＫ／ＮＡＣＫ反復回数を強制的に制限したり、以後のＡＣＫ／ＮＡＣＫ反復をディセーブルまたは非活性化（ｄｅ−ａｃｔｉｖａｔｉｏｎ）させることができる。また、ＡＣＫ／ＮＡＣＫ反復伝送によって、２つのＡＣＫ／ＮＡＣＫが同一のＵＬサブフレームでオーバーラップされる場合、２つのＡＣＫ／ＮＡＣＫを同時に伝送できる。他の方案で、２つのＡＣＫ／ＮＡＣＫがオーバーラップされる場合、特定ＡＣＫ／ＮＡＣＫ伝送をドロップ（ｄｒｏｐ）することができる。すなわち、ＡＣＫ／ＮＡＣＫ反復によって、一つのサブフレームで複数のＡＣＫ／ＮＡＣＫを伝送しなければならない場合、端末は一部のＡＣＫ／ＮＡＣＫ伝送を行わなくてもよい。
【００４１】
以下、図面を参照して本発明の実施例を具体的に例示する。以下の説明でＡＣＫ／ＮＡＣＫ伝送モードは、上位層シグナリングにより設定されると仮定する。すなわち、本発明は、ＡＣＫ／ＮＡＣＫ伝送モードが上位層により１次的に設定されるという仮定下に、ＡＣＫ／ＮＡＣＫ反復がイネーブルされた場合に、ＡＣＫ／ＮＡＣＫ反復をチャネル状況などによって適応的に行う方案を中心に説明する。したがって、本発明は、２ステップのＡＣＫ／ＮＡＣＫ伝送モード調節方案として理解されてもよい。上位層シグナリングは、ＢＣＨ（Ｂｒｏａｄｃａｓｔ  Ｃｈａｎｎｅｌ）、ＲＲＣ（Ｒａｄｉｏ  Ｒｅｓｏｕｒｃｅ  Ｃｏｎｔｒｏｌ）、ＭＡＣ（Ｍｅｄｉｕｍ  Ａｃｃｅｓｓ  Ｃｏｎｔｒｏｌ）シグナリングを含む。ＡＣＫ／ＮＡＣＫ伝送モードは、端末−特定（ＵＥ  Ｓｐｅｃｉｆｉｃ）、端末グループ−特定（ＵＥ  ｇｒｏｕｐ  Ｓｐｅｃｉｆｉｃ）、セル−特定（Ｃｅｌｌ  Ｓｐｅｃｉｆｉｃ）にシグナリングされうる。ＡＣＫ／ＮＡＣＫ伝送モードは、明示的に指定されたり、またはセル大きさなどに関連したパラメータから間接的／黙示的に確認されうる。
【００４２】
また、以下の図面及び説明は、同期式ＨＡＲＱ（ｓｙｎｃｈｒｏｎｏｕｓ  ｈｙｂｒｉｄ  ａｕｔｏｍａｔｉｃ  ｒｅｐｅａｔ  ａｎｄ  ｒｅｑｕｅｓｔ）においてデータ受信のためのＤＬサブフレームとＡＣＫ／ＮＡＣＫ伝送のためのＵＬサブフレームとの差（以下、ＡＣＫ／ＮＡＣＫタイミングと称する）が４個サブフレームである場合を中心に説明する。しかし、これは例示であって、ＡＣＫ／ＮＡＣＫタイミングは、システムに応じて異なる値（例、３、５、６個のサブフレーム）を有してもよい。
【００４３】
本発明の実施例に係る通信システムは、ＡＣＫ／ＮＡＣＫ反復モード（反復因子＝ＮANRep）に設定された状態で、ＤＬサブフレーム＃ｎを通じてＰＤＣＣＨ／ＰＤＳＣＨを伝送したとしても、チャネル変化によってＤＬサブフレーム＃ｎ＋ａで新しい伝送（ＰＤＣＣＨ／ＰＤＳＣＨ）が可能である（１＜＝ａ＜＝ＮANRep−１）。ＤＬサブフレーム＃ｎ＋ａで新しい伝送があれば、それに対するＡＣＫ／ＮＡＣＫは、ＵＬサブフレーム＃ｎ＋ａ＋４、及びその以後のＵＬサブフレームを通じて伝送されると予定されるので、以前のデータに対するＡＣＫ／ＮＡＣＫ伝送と新しいデータに対するＡＣＫ／ＮＡＣＫ伝送とが同じサブフレームで予定されることができる。
【００４４】
以下、ＡＣＫ／ＮＡＣＫ反復モードが設定された状態で、以前のデータに対するＡＣＫ／ＮＡＣＫ伝送と新しいデータに対するＡＣＫ／ＮＡＣＫ伝送とが同じサブフレームにスケジューリングされた場合のＡＣＫ／ＮＡＣＫ伝送／処理方案について説明する。説明の便宜上、以下の図面及び説明は、２つのＡＣＫ／ＮＡＣＫ伝送が同じＵＬサブフレームに発生した場合を仮定しているが、これは例示であって、本発明は、キャリアアグリゲーション（ｃａｒｒｉｅｒ  ａｇｇｒｅｇａｔｉｏｎ）、ＴＤＤ、リレーシステムなどの理由で、複数のＡＣＫ／ＮＡＣＫが同じＵＬサブフレームに発生した場合にも同一または容易に適用されうる。
【００４５】
方案  １．ＡＣＫ／ＮＡＣＫ同時伝送
【００４６】
ＡＣＫ／ＮＡＣＫ反復モードが設定された状態で、複数のＡＣＫ／ＮＡＣＫが同じサブフレームを通じて伝送されると予定された場合、これらを同時に伝送する方案について説明する。複数のＡＣＫ／ＮＡＣＫは、１−１）それぞれのＰＵＣＣＨリソースを用いて伝送されたり、１−２）ＰＵＣＣＨ＋ＰＵＳＣＨの組み合わせを用いて伝送されたり、１−３）単一の物理チャネル（すなわち、ＰＵＣＣＨまたはＰＵＳＣＨ）を通じて伝送されてもよい。
【００４７】
方案  １−１）複数のＰＵＣＣＨを用いたＡＣＫ／ＮＡＣＫ同時伝送
【００４８】
便宜上、ＡＣＫ／ＮＡＣＫ反復モード（反復因子＝ＮANRep）が設定された状態で、ＤＬサブフレーム＃ｎを通じてＰＤＣＣＨ／ＰＤＳＣＨが伝送され、ＤＬサブフレーム＃ｎ＋ａで新しい伝送（ＰＤＣＣＨ／ＰＤＳＣＨ）があると仮定する（１＜＝ａ＜＝ＮANRep−１）。この場合、ＤＬサブフレーム＃ｎで受信したＰＤＳＣＨに対するＡＣＫ／ＮＡＣＫ  ＰＵＣＣＨリソースは、次のように設定できる。まず、ＵＬサブフレーム＃ｎ＋４におけるＡＣＫ／ＮＡＣＫ  ＰＵＣＣＨリソースは、ＤＬサブフレーム＃ｎのＰＤＣＣＨのＣＣＥインデックスと関連付けられて動的に割り当てられることができる。一例として、３ＧＰＰ  ＬＴＥの場合、ＰＤＣＣＨ伝送のための最も小さいＣＣＥインデックスに基づいて、必要の時適当なオフセット値を加えてＡＣＫ／ＮＡＣＫ  ＰＵＣＣＨリソースインデックスを得る。反面、ＵＬサブフレーム＃ｎ＋５、...、＃ｎ＋４＋ＮANRep−１においてＡＣＫ／ＮＡＣＫ反復伝送に用いられるＡＣＫ／ＮＡＣＫ  ＰＵＣＣＨリソースは、上位層シグナリングにより決定されることができる。同様に、ＤＬサブフレーム＃ｎ＋ａで伝送されたデータに対するＵＬサブフレーム＃ｎ＋ａ＋４におけるＡＣＫ／ＮＡＣＫ  ＰＵＣＣＨリソースは、ＰＤＣＣＨのＣＣＥ割当位置（インデックス）と連係して動的に割り当てられることができる。
【００４９】
この場合、端末は、ＵＬサブフレーム＃ｎ＋ａ＋４で複数のＡＣＫ／ＮＡＣＫを同時に伝送し、ただし、１番目のデータに対するＡＣＫ／ＮＡＣＫは、半−静的に構成されたＰＵＣＣＨリソースを通じて伝送され、２番目のデータに対するＡＣＫ／ＮＡＣＫは、動的に構成されたＰＵＣＣＨリソースを通じて伝送される。このために、新しい伝送ができるＤＬサブフレームを、反復因子＝２である場合はＤＬサブフレーム＃ｎ＋１に、反復因子＝３である場合はＤＬサブフレーム＃ｎ＋２に、反復因子＝４である場合はＤＬサブフレーム＃ｎ＋３に制限するのが好ましい。すなわち、基地局は、１番目のデータ伝送に対するＡＣＫ／ＮＡＣＫ反復サブフレームと２番目のデータ伝送に対するＡＣＫ／ＮＡＣＫ反復サブフレームの重複が、一つのサブフレームでのみなされるようにスケジューリングすることができる。また、このようにすることで、新しい伝送によるＡＣＫ／ＮＡＣＫと既存の伝送によるＡＣＫ／ＮＡＣＫとが重なるＵＬサブフレームにおいて、ＡＣＫ／ＮＡＣＫ反復用として予約されるリソースが２つ以上になることを防止できる。
【００５０】
方案  １−２）ＰＵＣＣＨ＋ＰＵＳＣＨを用いたＡＣＫ／ＮＡＣＫ同時伝送
【００５１】
複数のＡＣＫ／ＮＡＣＫ伝送が予定されたＵＬサブフレームでＰＵＳＣＨ伝送がある場合、一部のＡＣＫ／ＮＡＣＫはＰＵＳＣＨに埋め込んで（ｅｍｂｅｄｄｅｄ）伝送し、残りのＡＣＫ／ＮＡＣＫはＰＵＣＣＨを通じて伝送できる。例えば、２つのＡＣＫ／ＮＡＣＫ伝送が同じＵＬサブフレームで予定された場合、１番目のデータに対するＡＣＫ／ＮＡＣＫをＰＵＳＣＨに埋め込み、２番目のデータに対するＡＣＫ／ＮＡＣＫを動的ＰＵＣＣＨリソースを通じて伝送できる。これと逆に構成することも可能である。一方、複数のＡＣＫ／ＮＡＣＫ伝送が予定されたＵＬサブフレームでデータ伝送がない場合、本方案の具現のために、ＡＣＫ／ＮＡＣＫ伝送だけのための別途のＰＵＳＣＨリソースを割り当てることができる。
【００５２】
方案  １−３）単一の物理チャネルを通したＡＣＫ／ＮＡＣＫ同時伝送
【００５３】
同じＵＬサブフレームで複数のＡＣＫ／ＮＡＣＫ伝送が予定された場合、これらを単一の物理チャネル（例、ＰＵＣＣＨまたはＰＵＳＣＨ）を通して伝送できる。具体的に、複数のＡＣＫ／ＮＡＣＫ伝送が予定されたＵＬサブフレームでＰＵＳＣＨ伝送がある場合、全てのＡＣＫ／ＮＡＣＫをＰＵＳＣＨに埋め込んで伝送できる。仮りに、複数のＡＣＫ／ＮＡＣＫ伝送が予定されたＵＬサブフレームでデータ伝送がない場合、本方案の具現のために、ＡＣＫ／ＮＡＣＫ伝送だけのための別途のＰＵＳＣＨリソースを割り当てることができる。
【００５４】
次に、複数のＡＣＫ／ＮＡＣＫを単一のＰＵＣＣＨを通じて伝送する方案について説明する。便宜上、２つのＡＣＫ／ＮＡＣＫ伝送が同じＵＬサブフレームで予定された場合を仮定する。この場合、２つのＡＣＫ／ＮＡＣＫ情報をＡＣＫ／ＮＡＣＫバンドリング（ｂｕｎｄｌｉｎｇ）またはＡＣＫ／ＮＡＣＫ多重化（ｍｕｌｔｉｐｌｅｘｉｎｇ）を用いて伝送できる。ＡＣＫ／ＮＡＣＫバンドリングは、複数のデータに対するＡＣＫ／ＮＡＣＫ結果を論理−ＡＮＤ演算により一つの値に結合する。したがって、複数のデータが全て成功的に受信された場合ＡＣＫが伝送され、一つのデータでもデコーディングに失敗するとＮＡＣＫが伝送される。ＡＣＫ／ＮＡＣＫ多重化は、複数のデータに対するＡＣＫ／ＮＡＣＫ結果を、ＡＣＫ／ＮＡＣＫ伝送リソース及び変調（例、ＱＰＳＫ）値の組み合わせを用いて伝送する。具体的に、２つのＰＵＣＣＨリソースがＡＣＫ／ＮＡＣＫ伝送のために占有された場合、これらから選択された一つのＰＵＣＣＨリソースを用いて特定の変調値が伝送される。
【００５５】
ＵＬサブフレームで複数のＡＣＫ／ＮＡＣＫを同時に伝送する場合、下記と関連した問題が発生し得る。
【００５６】
−制限された端末伝送電力
【００５７】
−単一周波数伝送方式より得る利点の減少（例、ＣＭ（ｃｕｂｉｃ  ｍｅｔｒｉｃ）値の増加）
【００５８】
以下では、前記問題を解消するための方案について追加的に説明する。
【００５９】
まず、制限された端末伝送電力について説明すると、端末の伝送電力による余分な電力（ｐｏｗｅｒ  ｈｅａｄｒｏｏｍ）がない場合には、追加に新しい伝送を開始しにくい。したがって、基地局は、パワーヘッドルームに余裕がある端末に限って新しいＤＬ伝送をスケジューリングできる。一方、端末のパワーヘッドルームに常に余裕があるのではないが、パワーヘッドルームが動的に変わると、それに伴ってパワーヘッドルーム値も動的に変わる。パワーヘッドルームを適切に活用するために、基地局は、必要の時該当の端末に新しいＤＬ伝送をスケジューリングできる。
【００６０】
そのためには、ＡＣＫ／ＮＡＣＫ反復モードがいつどのように設定されるかに対する基準（ｃｒｉｔｅｒｉｏｎ）をよく設計する必要がある。例えば、チャネルの状態／品質値（例、ＳＩＮＲ（ｓｉｇｎａｌ  ｔｏ  ｉｎｔｅｒｆｅｒｅｎｃｅ＋ｎｏｉｓｅ  ｒａｔｉｏ））がＳ１より大きい場合にＡＣＫ／ＮＡＣＫ反復を可能なようにすることができる。この時、Ｓ１値をあまりにも小さく設定しておくと、殆どの場合においてＡＣＫ／ＮＡＣＫ反復がイネーブルされるはずである。この場合、図６でも示したように、サブフレーム＃ｎ＋１でのリソース割当不可によってリソースの浪費が激しくなることがある。逆に、Ｓ１値をあまりにも大きく設定しておくと、ＡＣＫ／ＮＡＣＫ反復が適用される場合が非常に制限されて、ＡＣＫ／ＮＡＣＫ受信性能が大きく劣化してしまう。したがって、Ｓ１値を適切に選択して、ＡＣＫ／ＮＡＣＫ反復モードを設定し、時間／周波数に応じた動的チャネル変化によって端末余剰電力を考慮して、サブフレーム＃ｎ＋１で新しい伝送を始めるようにすることで、リソースの利用効率を高めることができる。
【００６１】
一方、端末がＡＣＫ／ＮＡＣＫ反復を行う途中に、新しいＰＤＳＣＨを受信して、これに対するＡＣＫ／ＮＡＣＫを同時に伝送しなければならない場合、複数のＡＣＫ／ＮＡＣＫ（反復ＡＣＫ／ＮＡＣＫ及び新しいＡＣＫ／ＮＡＣＫ）を伝送する電力が足りないことがある。例えば、伝送電力制御により決定された２つのＡＣＫ／ＮＡＣＫ伝送電力の和が、伝送電力の制限値を上回ることが発生し得る。この場合には、制限された伝送電力を２つのＡＣＫ／ＮＡＣＫに適切に分配しなければならず、下記の３つの方式を考慮できる。
【００６２】
−電力分配方式  １）伝送電力の制限値を２つのＡＣＫ／ＮＡＣＫに同一に分配（あるいは適切に与えられた比率によって分配）
【００６３】
−電力分配方式  ２）反復されるＡＣＫ／ＮＡＣＫに優先的に電力を割り当て、残った電力を新しいＡＣＫ／ＮＡＣＫに分配
【００６４】
−電力分配方式  ３）新しいＡＣＫ／ＮＡＣＫに優先的に電力を割り当て、残った電力を反復されるＡＣＫ／ＮＡＣＫに分配
【００６５】
電力分配方式  １）は、２種類のＡＣＫ／ＮＡＣＫを同一に（あるいは適切な比率によって比例するように）取り扱って、できれば２つのＡＣＫ／ＮＡＣＫ全てに適切な電力を割当しようとする方式である反面、電力分配方式  ２）及び３）は、一方のＡＣＫ／ＮＡＣＫに絶対的な優先順位を付与して、一つのＡＣＫ／ＮＡＣＫだけでも安定した電力で伝送しようとする方式である。
【００６６】
次に、単一周波数伝送方式を損傷させる問題について説明する。現在のＬＴＥ−Ａ（ＬＴＥ−ａｄｖａｎｃｅｄ  ｓｙｓｔｅｍ）は、必要の時アップリンク単一周波数伝送をあきらめる、すなわち、多重周波数伝送を許容するようにしている。すなわち、場合によっては、ＰＵＣＣＨとＰＵＳＣＨとを同時に伝送できるようにした。例えば、チャネル状況が非常に良くて、ＣＭ特性の劣化による性能劣化を補償できると判断される場合に、多重チャネルの同時伝送が適用されることができる。これと同様に、複数（例、２個）のＰＵＣＣＨ（例、ＡＣＫ／ＮＡＣＫ）を同時に伝送することも可能である。したがって、あるＵＬサブフレームで、動的に割り当てられたＡＣＫ／ＮＡＣＫリソース（物理層）と半−静的に割り当てられたＡＣＫ／ＮＡＣＫリソース（上位層）とを同時に伝送することも可能である。新しい伝送を許容することはチャネル状況が良いという意味であり、その場合、同時伝送も可能である。もちろん、基地局またはリレーで同時伝送を考慮して、新しい伝送をするか否かを決定するのが好ましい。
【００６７】
方案２．一部のＡＣＫ／ＮＡＣＫ伝送のドロップ、中止
【００６８】
ＡＣＫ／ＮＡＣＫ反復モードが設定された状態で、複数のＡＣＫ／ＮＡＣＫが同じサブフレームを通じて伝送されるものと予定された場合、一部のＡＣＫ／ＮＡＣＫに対する伝送をドロップ（Ｄｒｏｐｐｉｎｇ）、中止、暫定的に中止する方案を考慮しうる。便宜上、２つのＡＣＫ／ＮＡＣＫ伝送が同じＵＬサブフレームで予定された場合を仮定する。この場合、複数のＡＣＫ／ＮＡＣＫ伝送が重なるように予定された場合、該当のＵＬサブフレームで、以前のデータに対する反復ＡＣＫ／ＮＡＣＫ伝送をドロップ、中止、暫定的に中止する手順を行うことができる。以前のデータに対する反復ＡＣＫ／ＮＡＣＫ伝送をあきらめる場合、新しいデータに対する最初のＡＣＫ／ＮＡＣＫは、動的リソースの代りに、以前のＡＣＫ／ＮＡＣＫに対する静的リソースを用いて伝送するようにすることができる。これを通じて、端末は、基地局がＡＣＫ／ＮＡＣＫを重なるようにスケジューリングしたことを承認することができる（ＵＥ−ｔｏ−ｅＮＢ  ｃｏｎｆｉｒｍａｔｉｏｎ）。他の方案で、新しいＤＬデータ伝送がある場合、チャネル状況が良くなったものと見なして、または以前のデータに対するＡＣＫ／ＮＡＣＫに優先順位を置いて、該当のＵＬサブフレームで、新しいデータに対するＡＣＫ／ＮＡＣＫ伝送をドロップ、中止、暫定的に中止する手順を行うことができる。
【００６９】
方案３．ＡＣＫ／ＮＡＣＫ反復モードの変更
【００７０】
基地局によってＡＣＫ／ＮＡＣＫ伝送が重なるようにスケジューリングされた場合、上述した方案１及び／または２と共にＡＣＫ／ＮＡＣＫ反復モードを変更することができる。ＡＣＫ／ＮＡＣＫ反復モードの変更は、ＡＣＫ／ＮＡＣＫ反復因子の減少、ＡＣＫ／ＮＡＣＫ反復モードの中断を含む。ＡＣＫ／ＮＡＣＫが重なるようにスケジューリングされた場合、ＡＣＫ／ＮＡＣＫ反復モードの変更は、該当のＡＣＫ／ＮＡＣＫ伝送に対してのみ一時的に適用されたり、またはその後のＡＣＫ／ＮＡＣＫ伝送に対して持続的に適用されうる。
【００７１】
具体的に、反復ＡＣＫ／ＮＡＣＫと新しいＡＣＫ／ＮＡＣＫとが同じＵＬサブフレームに存在する場合、チャネル状況が良くなったものと見なして、既存に設定されたＡＣＫ／ＮＡＣＫ反復回数を強制的に制限することができる。ＡＣＫ／ＮＡＣＫ反復回数の制限は、既存のデータに対するＡＣＫ／ＮＡＣＫ及び新しいデータに対するＡＣＫ／ＮＡＣＫに対して独立して適用されることができる。例えば、新しいＡＣＫ／ＮＡＣＫに優先順位を置く場合、既存の反復ＡＣＫ／ＮＡＣＫと新しいＡＣＫ／ＮＡＣＫとが重ならないように、既存の反復ＡＣＫ／ＮＡＣＫに対する反復因子を減少させることができる。このような動作は、ＡＣＫ／ＮＡＣＫ反復因子はそのまま維持した状態で、２つのＡＣＫ／ＮＡＣＫが重ならないように既存の反復ＡＣＫ／ＮＡＣＫ伝送をドロップ、中止するものと解析されてもよい。これと違い、新しいＡＣＫ／ＮＡＣＫに対してＡＣＫ／ＮＡＣＫ反復因子のみを減少させることができる。
【００７２】
また、ＡＣＫ／ＮＡＣＫが重なるようにスケジューリングされた場合、チャネル状況が良くなったものと見なして、ＡＣＫ／ＮＡＣＫ反復モードを中断することができる。ＡＣＫ／ＮＡＣＫ反復モードの中断は、該当のＡＣＫ／ＮＡＣＫに対してのみ一時的に適用されたり、または該当のＡＣＫ／ＮＡＣＫ後のＡＣＫ／ＮＡＣＫに対して持続的に適用されてもよい。便宜上、ＡＣＫ／ＮＡＣＫ反復モードが該当のＡＣＫ／ＮＡＣＫに対してのみ一時中断されることをＡＣＫ／ＮＡＣＫ反復モードがディセーブル（ｄｉｓａｂｌｅ）されたと称し、ＡＣＫ／ＮＡＣＫ反復モードが該当のＡＣＫ／ＮＡＣＫの以後に対して持続的に中断されることをＡＣＫ／ＮＡＣＫ反復モードが非活性化されたと称するが、特別に区別しない限り、これらは互いに混用できる。
【００７３】
便宜上、方案  １）〜３）を別々に説明したが、これらは互いに組み合わせてまたは択一的に使用してもよい。また、方案  １）内の細部方案である１−１）〜１−３）もまたＡＣＫ／ＮＡＣＫ伝送状況／シナリオに応じて組み合わせてまたは択一的に使用してもよい。上述した方案  １）〜３）による端末動作は、予め定義されたり、またはシグナリングされてもよい。また、このような端末動作は、上位層シグナリングを通じてイネーブルまたはディセーブル（ｅｎａｂｌｅ／ｄｉｓａｂｌｅ）に設定されることができる。
【００７４】
以下、図面を参照して本発明の実施例についてより具体的に例示する。図面に例示された事項は互いに組み合わせて用いることができる。
【００７５】
図７〜図１０は、本発明の一実施例によってＡＣＫ／ＮＡＣＫ反復伝送を行う例を示す。図７〜１０は、反復因子が２である場合にＤＬサブフレーム＃ｎでパケットＡが伝送され、ＤＬサブフレーム＃ｎ＋1で新しいパケットＢが伝送される場合を仮定する。
【００７６】
図７を参照すると、パケットＡに対するＡＣＫ／ＮＡＣＫ（Ａ）はＵＬサブフレーム＃ｎ＋４、＃ｎ＋５で反復伝送される。しかし、パケットＢに対するＡＣＫ／ＮＡＣＫ（Ｂ）はＵＬサブフレーム＃ｎ＋５でのみ伝送され、これ以上反復伝送されない。本例は、上位層シグナリングによりＡＣＫ／ＮＡＣＫ反復モードが設定された場合でも、必要によって、物理層でその動作を活性化または非活性化させることができることを意味する。パケットＢによりＡＣＫ／ＮＡＣＫ反復モードが持続的に非活性化された場合、ＡＣＫ／ＮＡＣＫ反復モードを再活性化する方法が必要である。このために、一例として、ＡＣＫ／ＮＡＣＫ反復モードを活性化するための別途のシグナリング（例、ＲＲＣシグナリング）を行うことができる。他の例として、ＤＬパケットの伝送間隔が反復因子に対応すると（すなわち、２個のＤＬサブフレームの間隔）、自動でＡＣＫ／ＮＡＣＫ反復モードが活性化されたものと見なすことができる。上記とは違い、パケットＢによりＡＣＫ／ＮＡＣＫ（Ｂ）に対してのみＡＣＫ／ＮＡＣＫ反復モードが一時中断（すなわち、ディセーブル（ｄｉｓａｂｌｅｄ））されたものと見なすこともできる。
【００７７】
図７を参照すると、ＵＬサブフレーム＃ｎ＋５で、パケットＡに対する反復ＡＣＫ／ＮＡＣＫ（Ａ）とパケットＢに対する新しいＡＣＫ／ＮＡＣＫ（Ｂ）とが共に伝送される。この場合、２つのＡＣＫ／ＮＡＣＫは２つのＰＵＣＣＨチャネルを用いて伝送されることができる。他の例として、ＰＵＳＣＨ伝送が存在する場合、２つのＡＣＫ／ＮＡＣＫのうち一つはＰＵＳＣＨに埋め込まれることができる。したがって、１個のＰＵＣＣＨ及び１個のＰＵＳＣＨが伝送される。さらに他の例として、ＰＵＳＣＨ伝送が存在する場合、２つのＡＣＫ／ＮＡＣＫをいずれもＰＵＳＣＨを通じて伝送することができる。
【００７８】
図８を参照すると、パケットＡに対するＡＣＫ／ＮＡＣＫ（Ａ）はＵＬサブフレーム＃ｎ＋４、＃ｎ＋５で反復伝送される。また、パケットＢに対するＡＣＫ／ＮＡＣＫ（Ｂ）もＵＬサブフレーム＃ｎ＋５、＃ｎ＋６で反復伝送される。すなわち、ＡＣＫ／ＮＡＣＫ（Ｂ）に対する反復モードが有効に維持される。この場合、パケットＢ（またはＡＣＫ／ＮＡＣＫ（Ｂ））の次の伝送に対してはＡＣＫ／ＮＡＣＫ反復が非活性化またはディセーブルされてもよい。
【００７９】
図９を参照すると、パケットＡに対するＡＣＫ／ＮＡＣＫ（Ａ）はＵＬサブフレーム＃ｎ＋４でのみ一回伝送される。また、パケットＢに対するＡＣＫ／ＮＡＣＫ（Ｂ）もＵＬサブフレーム＃ｎ＋５でのみ一回伝送される。すなわち、ＡＣＫ／ＮＡＣＫ反復中に新しいＡＣＫ／ＮＡＣＫ伝送が必要な場合、ＡＣＫ／ＮＡＣＫ（Ａ）及びＡＣＫ／ＮＡＣＫ（Ｂ）の反復はそれぞれ中断される。ＡＣＫ／ＮＡＣＫ反復の中断は、以後にも持続的に適用される非活性化の意味で使用されたり、または今回のみに限定されるディセーブル（ｔｅｍｐｏｒａｒｉｌｙ  ｓｔｏｐｐｉｎｇ  ｏｆ  ＡＣＫ／ＮＡＣＫ反復）の意味で使用されてもよい。図９の例は、ＡＣＫ／ＮＡＣＫ（Ａ及びＢ）反復伝送が全体回数（２回）のうち一部のみ（１回）行われることを意味することができる。また、図９の例は、ＡＣＫ／ＮＡＣＫ（Ａ）に対する反復モードはそのまま維持されるが、いずれの理由でＵＬサブフレーム＃ｎ＋５でＡＣＫ／ＮＡＣＫ（Ａ）伝送が放棄され、ＡＣＫ／ＮＡＣＫ（Ｂ）に対する反復因子のみ減少されたことを意味することができる。
【００８０】
図１０を参照すると、パケットＡに対するＡＣＫ／ＮＡＣＫ（Ａ）はＵＬサブフレーム＃ｎ＋４でのみ一回伝送される。反面、パケットＢに対するＡＣＫ／ＮＡＣＫ（Ｂ）はＵＬサブフレーム＃ｎ＋５、＃ｎ＋６で反復伝送される。すなわち、ＡＣＫ／ＮＡＣＫ（Ａ）に対しては反復伝送が一時的にあるいは一回性で中断され、ＡＣＫ／ＮＡＣＫ（Ｂ）に対しては既存の設定通りに反復伝送が適用された一例である。これは、新しい伝送に対するＡＣＫ／ＮＡＣＫ（Ｂ）に優先順位を置いたことを意味していると言える。この場合、以前のデータに対する反復ＡＣＫ／ＮＡＣＫ（Ａ）（ＵＬサブフレーム＃ｎ＋５）伝送をあきらめる場合、新しいデータに対する最初ＡＣＫ／ＮＡＣＫ（Ｂ）（ＵＬサブフレーム＃ｎ＋５）は動的リソースの代りに、以前のＡＣＫ／ＮＡＣＫ（Ａ）に対する静的リソースを用いて伝送するようにすることができる。これを通じて、端末は、基地局がＡＣＫ／ＮＡＣＫを重なるようにスケジューリングしたことに対して、ろくに理解したとのことを基地局に確認させることができる。図１０の例は、ＡＣＫ／ＮＡＣＫ（Ａ）反復伝送は全体回数（２回）のうち一部のみ（１回）行われ、ＡＣＫ／ＮＡＣＫ（Ｂ）反復伝送は全部行われるものと解析することができる。これは、ＡＣＫ／ＮＡＣＫ（Ａ）に対するＡＣＫ／ＮＡＣＫ反復因子が減少されたものと解析することができる。
【００８１】
図１１〜図１６は、本発明の一実施例によってＡＣＫ／ＮＡＣＫ反復伝送を行う例を示す。図１１〜図１６は、反復因子が３である場合に、ＤＬサブフレーム＃ｎでパケットＡが伝送され、ＤＬサブフレーム＃ｎ＋２で新しいパケットＢが伝送される場合を仮定する。図示していないが、パケットＢはＤＬサブフレーム＃ｎ＋1を通じても伝送されることができる。
【００８２】
図１１を参照すると、パケットＡに対するＡＣＫ／ＮＡＣＫ（Ａ）はＵＬサブフレーム＃ｎ＋４、＃ｎ＋５、＃ｎ＋６で３回反復される。しかし、パケットＢに対するＡＣＫ／ＮＡＣＫ（Ｂ）はＵＬサブフレーム＃ｎ＋６でのみ伝送され、これ以上反復されない。すなわち、新しい伝送（Ｂ）によって、ＡＣＫ／ＮＡＣＫ反復モードは持続的に非活性化されたり、または一時的にディセーブルされてもよい。図１１は、反復因子が３という点を除いては、図７と類似しているので、詳細は図７の説明を参照する。
【００８３】
図１２を参照すると、パケットＡに対するＡＣＫ／ＮＡＣＫ（Ａ）はＵＬサブフレーム＃ｎ＋４、＃ｎ＋５、＃ｎ＋６で３回反復される。しかし、パケットＢに対するＡＣＫ／ＮＡＣＫ（Ｂ）はＵＬサブフレーム＃ｎ＋６、＃ｎ＋７で２回反復される。すなわち、新しい伝送（Ｂ）に対するＡＣＫ／ＮＡＣＫ（Ｂ）に対しては反復因子が３から２に減少される。すなわち、本例は、上位層シグナリングにより設定されたＡＣＫ／ＮＡＣＫ反復因子が、必要によって、物理層で変更可能であることを意味する。反復因子の減少はＡＣＫ／ＮＡＣＫ（Ａ）及びＡＣＫ／ＮＡＣＫ（Ｂ）に対してのみ一時的に適用されてもよい。また、反復因子の減少は、以後の過程において持続的に適用されてもよい。反復因子が減少された場合、反復因子を元の値に戻すための別途のシグナリング（例、ＲＲＣシグナリング）が必要なことがある。他の例として、ＤＬパケットの伝送間隔が既存に設定された反復因子に対応すると（すなわち、３個のＤＬサブフレーム間隔）、自動で反復因子が２から３に戻ったものと見なすことができる。
【００８４】
図１３を参照すると、パケットＡに対するＡＣＫ／ＮＡＣＫ（Ａ）はＵＬサブフレーム＃ｎ＋４、＃ｎ＋５、＃ｎ＋６で３回反復される。同様に、パケットＢに対するＡＣＫ／ＮＡＣＫ（Ｂ）もＵＬサブフレーム＃ｎ＋６、＃ｎ＋７、＃ｎ＋８で３回反復される。すなわち、ＡＣＫ／ＮＡＣＫ（Ｂ）に対する反復モードが有効に維持される。この場合、パケットＢ（またはＡＣＫ／ＮＡＣＫ（Ｂ））の次の伝送に対しては、ＡＣＫ／ＮＡＣＫ反復が非活性化またはディセーブルされてもよい。図１３は、反復因子が３という点を除いては図８と同様である。
【００８５】
図１４を参照すると、パケットＡに対するＡＣＫ／ＮＡＣＫ（Ａ）はＵＬサブフレーム＃ｎ＋４、＃ｎ＋５で２回反復される。反面、パケットＢに対するＡＣＫ／ＮＡＣＫ（Ｂ）はＵＬサブフレーム＃ｎ＋６でのみ伝送され、これ以上反復されない。すなわち、ＡＣＫ／ＮＡＣＫ（Ａ）は、反復因子の減少またはＵＬサブフレーム＃ｎ＋６でのＡＣＫ／ＮＡＣＫ（Ａ）伝送をあきらめることによって、指定された回数より少なく反復される。ＡＣＫ／ＮＡＣＫ（Ａ）の場合そのまま反復を進行するものの、ＡＣＫ／ＮＡＣＫ（Ｂ）に対しては、これ以上反復を行わなかったり、または一時的に反復を行わない。すなわち、ＡＣＫ／ＮＡＣＫ（Ｂ）に対しては、反復伝送が非活性化されたり、またはディセーブルされる。図１４は、反復因子が３という点を除いては図９と同様である。
【００８６】
図１５を参照すると、パケットＡに対するＡＣＫ／ＮＡＣＫ（Ａ）はＵＬサブフレーム＃ｎ＋４、＃ｎ＋５で２回反復される。同様に、パケットＢに対するＡＣＫ／ＮＡＣＫ（Ｂ）もＵＬサブフレーム＃ｎ＋６、＃ｎ＋７で２回反復される。図１５は、ＡＣＫ／ＮＡＣＫ（Ａ）及びＡＣＫ／ＮＡＣＫ（Ｂ）に対して反復因子が３から２に減少された場合を例示する。すなわち、本例は、上位層シグナリングにより設定されたＡＣＫ／ＮＡＣＫ反復因子が、必要によって、物理層で変更可能であることを意味する。反復因子の減少は、ＡＣＫ／ＮＡＣＫ（Ａ）及びＡＣＫ／ＮＡＣＫ（Ｂ）に対してのみ一時的に適用されてもよい。また、反復因子の減少は、以後の過程において持続的に適用されてもよい。反復因子が減少された場合、反復因子を元の値に戻すための別途のシグナリング（例、ＲＲＣシグナリング）が必要なことがある。他の例として、ＤＬパケットの伝送間隔が既存に設定された反復因子に対応すると（すなわち、３個のＤＬサブフレーム間隔）、自動で反復因子が２から３に戻ったものと見なすことができる。
【００８７】
また、図１５の例は、ＡＣＫ／ＮＡＣＫ（Ａ）に対する反復モードはそのまま維持するものの、いずれの理由で、ＵＬサブフレーム＃ｎ＋６でＡＣＫ／ＮＡＣＫ（Ａ）伝送をあきらめたものと見なすこともできる。すなわち、ＡＣＫ／ＮＡＣＫ（Ｂ）に対してのみ反復因子が減少されたものと見なすことができる。図１５は、反復因子が３という点を除いては図９と同様である。
【００８８】
図１６を参照すると、パケットＡに対するＡＣＫ／ＮＡＣＫ（Ａ）はＵＬサブフレーム＃ｎ＋４、＃ｎ＋５で２回反復される。反面、パケットＢに対するＡＣＫ／ＮＡＣＫ（Ｂ）はＵＬサブフレーム＃ｎ＋６、＃ｎ＋７、＃ｎ＋８で３回反復される。すなわち、ＡＣＫ／ＮＡＣＫ（Ａ）に対しては反復伝送が一時的にあるいは一回性で中断され、ＡＣＫ／ＮＡＣＫ（Ｂ）に対しては反復伝送が既存の設定通りに適用された一例である。本例は、新しい伝送に対するＡＣＫ／ＮＡＣＫ（Ｂ）に優先順位を置いたことを意味する。図１６は、反復因子が３という点を除いては図１０と同様である。
【００８９】
図１７〜図２６は、本発明の一実施例によってＡＣＫ／ＮＡＣＫ反復伝送を行う例を示す。
【００９０】
図１７〜図２３は、反復因子が４である場合に、ＤＬサブフレーム＃ｎでパケットＡが伝送され、ＤＬサブフレーム＃ｎ＋３で新しいパケットＢが伝送される場合を仮定する。図示していないが、パケットＢは、ＤＬサブフレーム＃ｎ＋１、＃ｎ＋２でも伝送されることができる。
【００９１】
図１７を参照すると、パケットＡに対するＡＣＫ／ＮＡＣＫ（Ａ）はＵＬサブフレーム＃ｎ＋４、＃ｎ＋５、＃ｎ＋６、＃ｎ＋７で４回反復される。反面、パケットＢに対するＡＣＫ／ＮＡＣＫ（Ｂ）はＵＬサブフレーム＃ｎ＋７で伝送され、これ以上反復されない。すなわち、新しい伝送（Ｂ）によってＡＣＫ／ＮＡＣＫ反復モードは持続的に非活性化されたり、または一時的にディセーブルされてもよい。図１７は、反復因子が４という点を除いては図７及び図１１と同様である。
【００９２】
図１８を参照すると、パケットＡに対するＡＣＫ／ＮＡＣＫ（Ａ）はＵＬサブフレーム＃ｎ＋４、＃ｎ＋５、＃ｎ＋６、＃ｎ＋７で４回反復される。反面、パケットＢに対するＡＣＫ／ＮＡＣＫ（Ｂ）はＵＬサブフレーム＃ｎ＋７、＃ｎ＋８、＃ｎ＋９で３回反復される。すなわち、新しい伝送（Ｂ）に対するＡＣＫ／ＮＡＣＫ（Ｂ）に対しては反復因子が減少する（例、４から３に）。図１８は、反復因子が４という点を除いては図１２と同様である。
【００９３】
図１９を参照すると、パケットＡに対するＡＣＫ／ＮＡＣＫ（Ａ）はＵＬサブフレーム＃ｎ＋４、＃ｎ＋５、＃ｎ＋６、＃ｎ＋７で４回反復される。同様に、パケットＢに対するＡＣＫ／ＮＡＣＫ（Ｂ）もＵＬサブフレーム＃ｎ＋７、＃ｎ＋８、＃ｎ＋９、＃ｎ＋１０で４回反復される。すなわち、ＡＣＫ／ＮＡＣＫ（Ｂ）に対する反復モードが有効に維持される。この場合、パケットＢ（またはＡＣＫ／ＮＡＣＫ（Ｂ））の以後の伝送に対してはＡＣＫ／ＮＡＣＫ反復が非活性化またはディセーブルされてもよい。図１９は、反復因子が４という点を除いては図８及び図１３と同様である。
【００９４】
図１９の例についてさらに説明すると、ＤＬサブフレーム＃ｎに伝送されたパケットＡに対してＡＣＫ／ＮＡＣＫ反復を行う場合に、ＤＬサブフレーム＃ｎ＋１、＃ｎ＋２の場合はＰＤＳＣＨが伝送されないので、端末はＰＤＳＣＨをデコーディングする必要がない。したがって、サブフレーム＃ｎ＋１、＃ｎ＋２にいかなるＰＤＳＣＨが伝送されても、端末はこれに対するＡＣＫ／ＮＡＣＫを伝送しないはずである。一方、端末は、ＤＬサブフレーム＃ｎ＋３でＰＤＳＣＨを受信した場合、ＡＣＫ／ＮＡＣＫをサブフレーム＃ｎ＋７に伝送しなければならない。サブフレーム＃ｎ＋７は、元々はパケットＡに対するＡＣＫ／ＮＡＣＫが伝送されるように予定されているが、本例で、端末は、これを無視し、パケットＢに対するＡＣＫ／ＮＡＣＫを伝送する。
【００９５】
図２０を参照すると、パケットＡに対するＡＣＫ／ＮＡＣＫ（Ａ）はＵＬサブフレーム＃ｎ＋４、＃ｎ＋５、＃ｎ＋６で３回反復される。しかし、パケットＢに対するＡＣＫ／ＮＡＣＫ（Ｂ）はＵＬサブフレーム＃ｎ＋７でのみ伝送され、これ以上反復されない。すなわち、ＡＣＫ／ＮＡＣＫ（Ａ）の反復回数が１回減少し、その代わりにＡＣＫ／ＮＡＣＫ（Ｂ）が伝送される。端末は、図２０のような状況を認識できると仮定し、このような状況に直面したとき、端末は２つのＡＣＫ／ＮＡＣＫ伝送が要求されるＵＬサブフレームで、ＡＣＫ／ＮＡＣＫ（Ａ）の代わりにＡＣＫ／ＮＡＣＫ（Ｂ）を伝送するように選択する一連の手順を行うことができる。図２０は、反復因子が４という点を除いては図９及び図１４と同様である。
【００９６】
図２１を参照すると、パケットＡに対するＡＣＫ／ＮＡＣＫ（Ａ）はＵＬサブフレーム＃ｎ＋４、＃ｎ＋５、＃ｎ＋６で３回反復される。同様に、パケットＢに対するＡＣＫ／ＮＡＣＫ（Ｂ）もＵＬサブフレーム＃ｎ＋７、＃ｎ＋８、＃ｎ＋９で３回反復される。図２１は、ＡＣＫ／ＮＡＣＫ（Ａ）（Ｂ）に対する反復因子が同一に減少（例、４から３に）されたことを意味することができる。また、図２１は、ＡＣＫ／ＮＡＣＫ（Ａ）に対する反復因子はそのまま維持され、いずれの理由で、ＵＬサブフレーム＃ｎ＋７でのＡＣＫ／ＮＡＣＫ（Ａ）伝送をあきらめることによって、指定された回数より少なく反復されることを意味することができる。すなわち、ＡＣＫ／ＮＡＣＫ（Ａ）（Ｂ）に対してのみ反復因子が減少されたものと見なすことができる。図２１は、反復因子が４という点を除いては図９及び図１５と同様である。
【００９７】
図２２は、新しい伝送に対するＡＣＫ／ＮＡＣＫ（Ｂ）に優先順位を置く場合を例示する。図２２を参照すると、パケットＡに対するＡＣＫ／ＮＡＣＫ（Ａ）はＵＬサブフレーム＃ｎ＋４、＃ｎ＋５、＃ｎ＋６で３回反復される。反面、パケットＢに対するＡＣＫ／ＮＡＣＫ（Ｂ）はＵＬサブフレーム＃ｎ＋７、＃ｎ＋８、＃ｎ＋９、＃ｎ＋１０で４回反復される。すなわち、ＡＣＫ／ＮＡＣＫ（Ａ）に対しては反復伝送が一時的にあるいは一回性で中断され、ＡＣＫ／ＮＡＣＫ（Ｂ）に対しては反復伝送が既存の設定通りに適用された一例である。このために、ＡＣＫ／ＮＡＣＫ（Ａ）伝送及びＡＣＫ／ＮＡＣＫ（Ｂ）伝送が共に予定されたＵＬサブフレームで、ＡＣＫ／ＮＡＣＫ（Ａ）伝送は端末によってドロップ（ｄｒｏｐｐｅｄ）される。図２２は、復因子が４という点を除いては図１６及び図１０と同様である。
【００９８】
図２３及び図２４は、反復因子が４である場合に、ＤＬサブフレーム＃ｎでパケットＡが伝送され、ＤＬサブフレーム＃ｎ＋２で新しいパケットＢが伝送される場合を仮定する。図示していないが、パケットＢはＤＬサブフレーム＃ｎ＋1、＃ｎ＋３でも伝送されることができる。
【００９９】
図２３は、ＡＣＫ／ＮＡＣＫ（Ａ）の反復伝送を最大限に維持しながらＡＣＫ／ＮＡＣＫ（Ｂ）の伝送を早める例を示す。図２３を参照すると、パケットＡに対するＡＣＫ／ＮＡＣＫ（Ａ）はＵＬサブフレーム＃ｎ＋４、＃ｎ＋５、＃ｎ＋６、＃ｎ＋７で４回反復される。反面、パケットＢに対するＡＣＫ／ＮＡＣＫ（Ｂ）はＵＬサブフレーム＃ｎ＋６でのみ伝送され、これ以上反復されない。すなわち、ＡＣＫ／ＮＡＣＫ（Ａ）は既存の設定によって完全に反復（ｆｕｌｌｙ  ｒｅｐｅａｔｅｄ）され、ＡＣＫ／ＮＡＣＫ（Ｂ）は１回伝送で終了される。例示した動作は、端末が、新しいＤＬ伝送が到着した場合、これをＡＣＫ／ＮＡＣＫ反復の中止という意味で解析することによって可能である。この場合、ＡＣＫ／ＮＡＣＫ（Ｂ）は一時的、限時的または条件付きで反復されないことを意味する。図２３の内容は、図７及び図１１においても同一に適用されることができる。
【０１００】
図２４を参照すると、パケットＡに対するＡＣＫ／ＮＡＣＫ（Ａ）はＵＬサブフレーム＃ｎ＋４、＃ｎ＋５、＃ｎ＋６、＃ｎ＋７で４回反復される。同様に、パケットＢに対するＡＣＫ／ＮＡＣＫ（Ｂ）もＵＬサブフレーム＃ｎ＋６、＃ｎ＋７、＃ｎ＋８、＃ｎ＋９で４回反復される。すなわち、ＡＣＫ／ＮＡＣＫ（Ｂ）に対する反復モードが有効に維持され、２つのＵＬサブフレームにわたってＡＣＫ／ＮＡＣＫが重なる場合が発生する。具体的に、サブフレーム＃ｎ＋６では、半−静的ＡＣＫ／ＮＡＣＫ（Ａ）及び動的ＡＣＫ／ＮＡＣＫ（Ｂ）が同時に伝送される。サブフレーム＃ｎ＋７では、半−静的ＡＣＫ／ＮＡＣＫ（Ａ）及び半−静的ＡＣＫ／ＮＡＣＫ（Ｂ）が同時に伝送される。したがって、サブフレーム＃ｎ＋７では、２個の半−静的に予約されたＡＣＫ／ＮＡＣＫリソースが必要である。したがって、２個のＡＣＫ／ＮＡＣＫリソースを上位層シグナリングを通じて予約しておかなければならない。一方、パケットＢ（またはＡＣＫ／ＮＡＣＫ（Ｂ））の以後の伝送に対してはＡＣＫ／ＮＡＣＫ反復が非活性化またはディセーブルされてもよい。図２４は、反復因子が４という点を除いては図８及び図１３と同様である。
【０１０１】
図２５は、図１９のサブフレームインデックスを再構成したものである。図２５は、反復因子が４である場合に、ＤＬサブフレーム＃ｎ−4でパケットＡが伝送され、ＤＬサブフレーム＃ｎ−1で新しいパケットＢが伝送される場合を仮定する。
【０１０２】
図２５を参照すると、端末は、パケットＡに対する反復ＡＣＫ／ＮＡＣＫがある場合、それが最後の反復ＡＣＫ／ＮＡＣＫ（Ａ）ではないと（例、ＵＬサブフレーム＃ｎ＋1、＃ｎ＋２でのＡＣＫ／ＮＡＣＫ（Ａ））、新しいパケット伝送（例、パケットＢがＤＬサブフレーム＃ｎ−３、＃ｎ−２で伝送された場合）が行われたとしても、それに対するＡＣＫ／ＮＡＣＫ（Ｂ）を伝送しない。反面、以前のパケットに対する反復されたＡＣＫ／ＮＡＣＫ（Ａ）の最後であり（例、ＵＬサブフレーム＃ｎ＋３でのＡＣＫ／ＮＡＣＫ（Ａ））、その時、パケットＢに対するＡＣＫ／ＮＡＣＫ（Ｂ）を伝送するタイミングであれば、パケットＡの反復されたＡＣＫ／ＮＡＣＫ（Ａ）及びパケットＢの１番目のＡＣＫ／ＮＡＣＫ（Ｂ）を同時に送ることができる。
【０１０３】
図２６は、本発明の実施例に適用されうる基地局及び端末を示す図である。
【０１０４】
図２６を参照すると、無線通信システムは、基地局（ＢＳ）１１０及び端末（ＵＥ）１２０を含む。ダウンリンクにおいて送信機は基地局１１０の一部であり、受信機は端末１２０の一部である。アップリンクにおいて送信機は端末１２０の一部であり、受信機は基地局１１０の一部である。基地局１１０は、プロセッサ１１２、メモリー１１４及び無線周波数（Ｒａｄｉｏ  Ｆｒｅｑｕｅｎｃｙ；ＲＦ）ユニット１１６を含む。プロセッサ１１２は、本発明で提案した手順及び／または方法を具現するように構成されうる。メモリー１１４は、プロセッサ１１２と連結され、プロセッサ１１２の動作と関連した様々な情報を格納する。ＲＦユニット１１６は、プロセッサ１１２と連結され、無線信号を送信及び／または受信する。端末１２０は、プロセッサ１２２、メモリー１２４及びＲＦユニット１２６を含む。プロセッサ１２２は、本発明で提案した手順及び／または方法を具現するように構成されうる。メモリー１２４は、プロセッサ１２２と連結され、プロセッサ１２２の動作と関連した様々な情報を格納する。ＲＦユニット１２６は、プロセッサ１２２と連結され、無線信号を送信及び／または受信する。基地局１１０及び／または端末１２０は、単一アンテナまたは多重アンテナを有することができる。また、図示していないが、端末１２０は、電力管理モジュール、バッテリー、ディスプレイ、キーボード、ＳＩＭカード（オプション）、スピーカ及びマイクロホンのうち少なくとも一つをさらに含むことができる。
【０１０５】
以上説明した各実施例は、本発明の各構成要素と特徴が所定形態で結合されたものである。各構成要素または特徴は、別途の明示的な言及がない限り、選択的なものとして考慮しなければならない。各構成要素または特徴は、他の構成要素や特徴と結合されない形態で実施することができる。また、一部の構成要素及び／または特徴を結合して本発明の実施例を構成することも可能である。本発明の各実施例で説明される各動作の順序は変更可能である。ある実施例の一部構成や特徴は、他の実施例に含まれることもでき、または他の実施例の対応する構成または特徴に取って代わることもできる。特許請求の範囲で明示的な引用関係を有しない請求項を結合して実施例を構成したり、出願後の補正によって新しい請求項として含めることもできることは自明である。
【０１０６】
本文書で、本発明の実施例は、端末と基地局間のデータ送受信関係を中心に説明された。本文書で基地局により行われると説明した特定動作は、場合によっては、その上位ノード（ｕｐｐｅｒ  ｎｏｄｅ）により行われてもよい。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の他のネットワークノード（例、リレー）により行われることができることは明らかである。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０１０７】
本発明に係る実施例は、多様な手段、例えば、ハードウェア、ファームウェア（ｆｉｒｍｗａｒｅ）、ソフトウェアまたはそれらの結合などによって具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１０８】
ファームウェアやソフトウェアによる具現の場合、本発明の一実施例は、以上で説明された機能または各動作を行うモジュール、手順または関数などの形態で具現することができる。ソフトウェアコードはメモリーユニットに格納されてプロセッサによって駆動されることができる。前記メモリーユニットは、前記プロセッサの内部または外部に位置し、既に公知の様々な手段によって前記プロセッサとデータを交換することができる。
【０１０９】
本発明は、本発明の特徴を逸脱しない範囲で他の特定の形態に具体化できるということは、当業者にとっては自明である。したがって、上記の詳細な説明は、いずれの面においても制限的に解釈してはならず、例示的なものとして考慮しなければならない。本発明の範囲は、添付の請求項の合理的な解釈によって決定しなければならず、本発明の等価的範囲内での全ての変更は本発明の範囲に含まれる。
【産業上の利用可能性】
【０１１０】
本発明は、無線通信システムに適用されることができる。具体的に、本発明は、無線通信システムにおいてＡＣＫ／ＮＡＣＫを伝送する方法及びそのための装置に適用されることができる。
【図１】
2013511937.tif 000004
【図２】
2013511937.tif 000005
【図３】
2013511937.tif 000006
【図４】
2013511937.tif 000007
【図５】
2013511937.tif 000008
【図６】
2013511937.tif 000009
【図７】
2013511937.tif 000010
【図８】
2013511937.tif 000011
【図９】
2013511937.tif 000012
【図１０】
2013511937.tif 000013
【図１１】
2013511937.tif 000014
【図１２】
2013511937.tif 000015
【図１３】
2013511937.tif 000016
【図１４】
2013511937.tif 000017
【図１５】
2013511937.tif 000018
【図１６】
2013511937.tif 000019
【図１７】
2013511937.tif 000020
【図１８】
2013511937.tif 000021
【図１９】
2013511937.tif 000022
【図２０】
2013511937.tif 000023
【図２１】
2013511937.tif 000024
【図２２】
2013511937.tif 000025
【図２３】
2013511937.tif 000026
【図２４】
2013511937.tif 000027
【図２５】
2013511937.tif 000028
【図２６】
2013511937.tif 000029
【国際調査報告】
2013511937.tif 000030
2013511937.tif 000031
2013511937.tif 000032
2013511937.tif 000033